(57)【要約】【課題】データラインから放電される電荷を電池にフィードバックできる表示素子を提供する。【解決手段】上記表示素子は、複数のピクセルE11〜E44、電荷貯蔵部320及び放電部308を含む。ピクセルは、データラインD1〜D4とスキャンラインS1〜S4とが交差する領域に形成され、駆動電圧に基づいて駆動する。電荷貯蔵部320は、放電時間中の第１サブ放電時間の間、少なくとも一つのデータラインに連結され、第１サブ放電時間の間、上記データラインから放電された電荷を貯蔵する。放電部308は、上記放電時間中の第２サブ放電時間の間、データラインに連結され、第２サブ放電時間の間、データラインを所定放電電圧まで放電する。【選択図】図３
2008058927.tif 000002
【特許請求の範囲】
【請求項１】
第１方向に配列されたデータラインと、
前記第１方向と異なる第２方向に配列されたスキャンラインと、
前記データラインと前記スキャンラインとの交差領域に形成され、駆動電圧に基づいて駆動する複数のピクセルと、
２つ以上のサブ放電時間に分けられる放電時間中の第１サブ放電時間の間、少なくとも一つのデータラインに連結され、前記第１サブ放電時間の間、前記データラインから放電された電荷を貯蔵する電荷貯蔵部と、
前記放電時間中の第２サブ放電時間の間、前記データラインに連結され、前記第２サブ放電時間の間、前記データラインを所定放電電圧まで放電させる放電部と、を含むことを特徴とする表示素子。
【請求項２】
前記放電部は、前記データラインに連結されたツェナーダイオードからなることを特徴とする請求項１に記載の表示素子。
【請求項３】
前記表示素子は、さらに、
電池と、
前記電池から出力された電池電圧を昇圧して前記駆動電圧を出力する電圧調整部とを含み、
前記電荷貯蔵部に保存された電荷は、前記第２サブ放電時間の間、前記電池に供給されることを特徴とする請求項１に記載の表示素子。
【請求項４】
前記表示素子は、さらに、
前記電池と前記電荷貯蔵部に連結され、前記電池から出力される電池電圧と前記電荷貯蔵部に保存された電荷に対応する充填電圧を比較する比較部を含むことを特徴とする請求項３に記載の表示素子。
【請求項５】
前記表示素子は、さらに、
前記比較部の比較結果によって前記電池と前記電荷貯蔵部との間の連結をスイッチングするスイッチング部を含むことを特徴とする請求項４に記載の表示素子。
【請求項６】
前記電池電圧が前記充填電圧より大きいとき、前記スイッチング部は、前記電池と前記電荷貯蔵部との間の連結をターンオフすることを特徴とする請求項５に記載の表示素子。
【請求項７】
前記電池電圧が前記充填電圧以下のとき、前記スイッチング部は、前記電池と前記電荷貯蔵部との間の連結をターンオンすることを特徴とする請求項５に記載の表示素子。
【請求項８】
前記比較部は、演算増幅器からなることを特徴とする請求項４に記載の表示素子。
【請求項９】
前記電荷貯蔵部は、キャパシタからなることを特徴とする請求項１に記載の表示素子。
【請求項１０】
少なくとも一つのピクセルは、
陽極の第１電極層と、
陰極の第２電極層と、
前記第１電極層と前記第２電極層との間に配置され、有機物からなる有機物層を含むことを特徴とする請求項１に記載の表示素子。
【請求項１１】
データラインとスキャンラインとが交差する領域に形成される複数のピクセルを含むパネルを駆動させる回路駆動素子において、
２つ以上のサブ放電時間に分けられる放電時間中の第１サブ放電時間の間、前記データライン中の少なくとも一つのデータラインから放電された電荷を貯蔵する電荷貯蔵部と、
前記放電時間中の第２サブ放電時間の間、前記データラインを所定放電電圧まで放電させる放電部と、を含むことを特徴とする回路駆動素子。
【請求項１２】
前記回路駆動素子は、さらに、
電池から出力された電池電圧を昇圧して駆動電圧を出力する電圧調整部と、
前記電圧調整部から出力された駆動電圧を用いて前記データラインにデータ電流を供給するデータ駆動部と、
前記電池電圧と前記電荷貯蔵部に保存された電荷に対応する充填電圧を比較する比較部と、を含むことを特徴とする請求項１１に記載の回路駆動素子。
【請求項１３】
前記比較の結果、前記充填電圧が前記電池電圧以上のとき、前記電荷貯蔵部に保存された電荷が、前記第２サブ放電時間の間、前記電池に供給されることを特徴とする請求項１２に記載の回路駆動素子。
【請求項１４】
前記比較部は、演算増幅器からなることを特徴とする請求項１２に記載の回路駆動素子。
【請求項１５】
前記電荷貯蔵部は、キャパシタからなることを特徴とする請求項１１に記載の回路駆動素子。
【請求項１６】
前記放電部は、ツェナーダイオードからなることを特徴とする請求項１１に記載の回路駆動素子。
【請求項１７】
データラインとスキャンラインとが交差する領域に形成される複数のピクセルを含む表示素子を駆動する方法において、
２つ以上のサブ放電時間に分けられる放電時間中の第１サブ放電時間の間、前記データライン中の少なくとも一つのデータラインから放電された電荷を貯蔵する段階と、
前記放電時間中の第２サブ放電時間の間、前記データラインを所定放電電圧まで放電する段階と、を含むことを特徴とする表示素子駆動方法。
【請求項１８】
前記表示素子駆動方法は、さらに、
電池から出力された電池電圧を昇圧して駆動電圧を出力する段階と、
前記駆動電圧を用いて前記データラインにデータ電流を供給する段階と、
前記保存された電荷を前記電池に供給する段階とを、含むことを特徴とする請求項１７に記載の表示素子駆動方法。
【請求項１９】
前記電池に供給する段階は、
前記電池電圧と前記保存された電荷に対応する充填電圧とを比較する段階と、
前記比較の結果、前記充填電圧が前記電池電圧以上のとき、前記保存された電荷を前記電池に供給する段階を含むことを特徴とする請求項１８に記載の表示素子駆動方法。
【発明の詳細な説明】
【技術分野】
【０００１】
本発明は、表示素子及びその駆動方法に関する。さらに詳しくは、データラインから放電される電荷を電池にフィードバックすることができる表示素子及びその駆動方法に関するものである。
【背景技術】
【０００２】
表示素子は、所定イメージを表示する素子である。
図１は、従来の表示素子を示した図面である。
【０００３】
図１を参照すれば、従来の表示素子は、パネル１００、制御部１０２、第１スキャン駆動部１０４、第２スキャン駆動部１０６、放電部１０８、プリチャージ部１１０、データ駆動部１１２、電池１１４及びＤＣ−ＤＣ回路部１１６を含む。
【０００４】
パネル１００は、データラインＤ１〜Ｄ４とスキャンラインＳ１〜Ｓ４とが交差する領域に形成される複数のピクセルＥ１１〜Ｅ４４を含む。
制御部１０２は、外部装置（図示略）から表示データを受信し、受信された表示データを用いてスキャン駆動部１０４、１０６、プリチャージ部１１０及びデータ駆動部１１２の動作を制御する。
【０００５】
第１スキャン駆動部１０４は、制御部１０２の制御の下に、第１スキャン信号をスキャンラインＳ１〜Ｓ４中の一部、例えば、スキャンラインＳ１、Ｓ３に供給する。
第２スキャン駆動部１０６は、制御部１０２の制御の下に、第２スキャン信号を残りのスキャンラインＳ２、Ｓ４に供給する。結果的に、スキャンラインＳ１〜Ｓ４がグランドに順次に接地される。
【０００６】
放電部１０８は、スイッチＳＷ１〜ＳＷ４及びツェナーダイオードを含み、放電時間の間、データラインＤ１〜Ｄ４をツェナーダイオードのツェナー電圧まで放電する。
プリチャージ部１１０は、制御部１０２の制御の下に、前記表示データに対応するプリチャージ電流をデータラインＤ１〜Ｄ４に供給し、データラインＤ１〜Ｄ４をプリチャージする。
【０００７】
データ駆動部１１２は、複数の電流源ＩＳ１〜ＩＳ４を含み、制御部１０２の制御の下に、前記表示データに対応して電流源ＩＳ１〜ＩＳ４から出力されたデータ電流をデータラインＤ１〜Ｄ４に供給する。その結果、ピクセルＥ１１〜Ｅ４４が発光する。
ＤＣ−ＤＣ回路部１１６は、電池１１４から出力された電池電圧を昇圧して駆動電圧Ｖｃｃを発生する。
【０００８】
図２（ａ）及び（ｂ）は、図１の表示素子の駆動過程を説明するための回路図であり、図２（ｃ）は、表示素子の駆動過程を示したタイミングダイヤグラムである。
図２（ａ）及び（ｃ）を参照すれば、スイッチＳＷ１〜ＳＷ４がターンオンされ、スキャンラインＳ１〜Ｓ４が、駆動電圧Ｖｃｃと同じ大きさＶ２を有する非発光源に連結される。結果的に、データラインＤ１〜Ｄ４が第１放電時間ｄｃｈａ１の間、ツェナーダイオードのツェナー電圧まで放電される。
【０００９】
次いで、プリチャージ部１１０は、第１プリチャージ時間ｐｃｈａ１の間、放電されたデータラインＤ１〜Ｄ４にプリチャージ電流を供給し、放電されたデータラインＤ１〜Ｄ４をプリチャージする。
【００１０】
続いて、第１スキャンラインＳ１が、図２（ａ）に示されるように、グランドに接地され、残りのスキャンラインＳ２〜Ｓ４が、非発光源に連結され、スイッチＳＷ１〜ＳＷ４はターンオフされる。
【００１１】
その後、データ駆動部１１２は、第１表示データに対応するデータ電流Ｉ１１〜Ｉ４１を、第１発光時間Ｔ１の間、プリチャージされたデータラインＤ１〜Ｄ４に供給する。このデータ電流Ｉ１１〜Ｉ４１は、データラインＤ１〜Ｄ４、ピクセルＥ１１〜Ｅ４１及び第１スキャンラインＳ１を介してグランドに流れる。その結果、第１スキャンラインＳ１と関連したピクセルＥ１１〜Ｅ４１が発光する。
【００１２】
次いで、第２放電時間ｄｃｈａ２の間、スイッチＳＷ１〜ＳＷ４がターンオンされ、スキャンラインＳ１〜Ｓ４が非発光源に連結される。その結果、データラインＤ１〜Ｄ４がツェナーダイオードのツェナー電圧まで放電される。
【００１３】
続いて、プリチャージ部１１０は、第２プリチャージ時間ｐｃｈａ２の間、放電されたデータラインＤ１〜Ｄ４にプリチャージ電流を供給し、前記放電されたデータラインＤ１〜Ｄ４をプリチャージする。
その後、第２スキャンラインＳ２がグランドに接地され、残りのスキャンラインＳ１、Ｓ３、Ｓ４が非発光源に連結され、スイッチＳＷ１〜ＳＷ４はターンオフされる。
【００１４】
次いで、データ駆動部１１２は、図２（ｂ）に示されるように、第１表示データが制御部１０２に入力された後、制御部１０２に入力される第２表示データに対応するデータ電流Ｉ１２〜Ｉ４２を、第２発光時間ｔ２の間、前記プリチャージされたデータラインＤ１〜Ｄ４に供給する。このデータ電流Ｉ１２〜Ｉ４２は、データラインＤ１〜Ｄ４、ピクセルＥ１２〜Ｅ４２及び第２スキャンラインＳ２を介して前記発光源に流れる。その結果、第２スキャンラインＳ２と関連したピクセルＥ１２〜Ｅ４２が発光する。
【００１５】
第３スキャンラインＳ３と関連したピクセルＥ１３〜Ｅ４３が発光し、その後、第４スキャンラインＳ４と関連したピクセルＥ１４〜Ｅ４４が発光する。次いで、ピクセルＥ１１〜Ｅ４４が、スキャンラインＳ１〜Ｓ４単位で、即ち、フレーム単位で上述された方法を通じて繰り返し発光する。
【００１６】
上述のように、データラインＤ１〜Ｄ４は、放電時間の間、所定放電電圧まで放電され、即ち、データラインＤ１〜Ｄ４に充電された電荷が放電されて消耗される。結果的に、電池１１４の消耗が多くなり、表示素子の電力消費が高くなる。
【発明の開示】
【発明が解決しようとする課題】
【００１７】
本発明の目的は、向上された消費電力を有する表示素子及びその駆動方法を提供することにある。
【課題を解決するための手段】
【００１８】
上記目的を達成するために、本発明の好ましい一実施形態に係る表示素子は、複数のピクセル、電荷貯蔵部、及び放電部を含む。前記ピクセルは、データラインとスキャンラインとが交差する領域に形成され、駆動電圧に基づいて駆動する。前記電荷貯蔵部は、放電時間中の第１サブ放電時間の間、少なくとも一つのデータラインに連結され、前記第１サブ放電時間の間、前記データラインから放電された電荷を貯蔵する。前記放電部は、前記放電時間中の第２サブ放電時間の間、前記データラインに連結され、前記第２サブ放電時間の間、前記データラインを所定放電電圧まで放電する。
【００１９】
本発明の好ましい他の実施形態に係る表示素子は、電池、ピクセル及び電荷貯蔵部を含む。前記ピクセルは、データラインとスキャンラインとが交差する領域に形成され、駆動電圧に基づいて駆動する。前記電荷貯蔵部は、放電時間中の第１サブ放電時間の間、少なくとも一つのデータラインに連結され、前記第１サブ放電時間の間、前記データラインから放電された電荷を貯蔵し、前記放電時間中の第２放電時間の間、前記保存された電荷を前記電池に出力する。
【００２０】
本発明の好ましい一実施形態に係るデータラインとスキャンラインとが交差する領域に形成される複数のピクセルを含むパネルを駆動させる回路駆動素子は、電荷貯蔵部及び放電部を含む。前記電荷貯蔵部は、放電時間中の第１サブ放電時間の間、前記データライン中の少なくとも一つのデータラインから放電された電荷を貯蔵する。前記放電部は、前記放電時間中の第２サブ放電時間の間、前記データラインを所定放電電圧まで放電する。
【００２１】
本発明の好ましい一実施形態に係るデータラインとスキャンラインとが交差する領域に形成される複数のピクセルを含む表示素子を駆動する方法は、放電時間中の第１サブ放電時間の間、前記データライン中の少なくとも一つのデータラインに充電された電荷を電荷貯蔵部に出力して貯蔵する段階と、前記放電時間中の第２サブ放電時間の間、前記データラインを所定放電電圧まで放電する段階とを含む。
【００２２】
本発明に係る表示素子及びその駆動方法は、放電時にデータラインから放電される電荷を電池にフィードバックするので、前記表示素子の消費電力を低減することができる。
【発明の効果】
【００２３】
以上のように、本発明に係る表示素子及びその駆動方法は、放電時にデータラインから放電される電荷を電池にフィードバックするので、前記表示素子の消費電力を低減することができる長所がある。
【発明を実施するための最良の形態】
【００２４】
以下では、添付図面を参照して本発明の好ましい実施形態を詳細に説明する。
図３は、本発明の好ましい第１の実施形態に係る表示素子を示した図面である。
【００２５】
図３を参照すれば、本発明の表示素子は、パネル３００、制御部３０２、第１スキャン駆動部３０４、第２スキャン駆動部３０６、放電部３０８、プリチャージ部３１０、データ駆動部３１２、電池３１４、電圧調整部３１６、及びフィードバック部３１８を含む。
【００２６】
本発明の好ましい一実施形態に係る表示素子は、有機電界発光素子、ＰＤＰ、ＬＣＤなどを含む。但し、以下では、説明の便宜のために前記有機電界発光素子を例として説明する。
パネル３００は、データラインＤ１〜Ｄ４とスキャンラインＳ１〜Ｓ４とが交差する領域に形成される複数のピクセルＥ１１〜Ｅ４４を含む。
【００２７】
前記表示素子が有機電界発光素子のとき、各ピクセルＥ１１〜Ｅ４４は、基板上に順次に積層された第１電極層、有機物からなる有機物層、及び第２電極層で構成される。
第１電極層及び第２電極層の一つは、陽極であり、他の一つは陰極である。
【００２８】
第１電極層と第２電極層に所定電圧が印加される場合、陽極から発生された正孔と陰極から発生された電子とが、前記有機物層で結合して励起子を形成し、この励起子が分解されながら、所定波長を有する光が前記有機物層、詳しくは、有機物層に含まれた発光層から発散される。
【００２９】
制御部３０２は、外部装置（未図示）から表示データを受信し、受信された表示データを用いて、スキャン駆動部３０４、３０６、プリチャージ部３１０及びデータ駆動部３１２の動作を制御する。ここで、制御部３０２は、受信された表示データを貯蔵していてもよい。
【００３０】
第１スキャン駆動部３０４は、制御部３０２の制御の下に、第１スキャン信号をスキャンラインＳ１〜Ｓ４中の一部、例えば、スキャンラインＳ１、Ｓ３に供給する。
第２スキャン駆動部３０６は、制御部３０２の制御の下に、第２スキャン信号を残りのスキャンラインＳ２、Ｓ４に供給する。結果的に、スキャンラインＳ１〜Ｓ４が発光源、例えば、グランドに順次に接地される。
【００３１】
放電部３０８は、スイッチＳＷ１〜ＳＷ４、ＳＷ６及びツェナーダイオードを含み、データラインＤ１〜Ｄ４をツェナーダイオードのツェナー電圧まで放電する。これらに対する詳細説明は、以下で添付図面を参照して詳述する。
【００３２】
プリチャージ部３１０は、制御部３０２の制御の下に、表示データに対応するプリチャージ電流をデータラインＤ１〜Ｄ４に供給し、データラインＤ１〜Ｄ４をプリチャージする。
【００３３】
データ駆動部３１２は、複数の電流源ＩＳ１〜ＩＳ４を含み、制御部３０２の制御の下に、表示データに対応して電流源ＩＳ１〜ＩＳ４から出力されたデータ信号、例えば、データ電流をデータラインＤ１〜Ｄ４に供給する。その結果、ピクセルＥ１１〜Ｅ４４が発光する。ここで、前記データ信号は、駆動電圧Ｖｃｃに基づいて、駆動電圧Ｖｃｃ以下の電圧レベルを有し、前記スキャン信号に同期される。
【００３４】
電圧調整部３１６は、例えば、ＤＣ−ＤＣ回路からなり、電池３１４から出力された電池電圧を昇圧して、駆動電圧Ｖｃｃを発生する。
フィードバック部３１８は、データラインＤ１〜Ｄ４から放電された電荷を、電池３１４にフィードバックする素子であり、電荷貯蔵部３２０、比較部３２２及びスイッチング部ＳＷ７を含む。これらに対する詳細な説明は、以下で添付図面を参照して詳述する。
【００３５】
上述するように、データラインＤ１〜Ｄ４から放電された電荷を単に放電する従来の表示素子とは違って、本発明の表示素子は、データラインＤ１〜Ｄ４から放電される電荷を電池３１４にフィードバックする。結果的に、本発明の表示素子の消費電力が、従来の表示素子の消費電力より低減され、従って、電池３１４の寿命も長くなる。
【００３６】
図４（ａ）及び（ｂ）は、図３の表示素子の駆動過程を説明するための回路図であり、図４（ｃ）は、表示素子の駆動過程を示したタイミングダイヤグラムである。
【００３７】
図４（ａ）及び（ｃ）を参照すれば、第１放電時間ｄｃｈａ１中の第１サブ放電時間Ｔ１の間、スイッチＳＷ１〜ＳＷ５がターンオンされ、スキャンラインＳ１〜Ｓ４が駆動電圧Ｖｃｃと同じ大きさＶ２を有する非発光源に連結される。その結果、データラインＤ１〜Ｄ４に充電された電荷が、前記第１サブ放電時間Ｔ１の間、電荷貯蔵部３２０に含まれたキャパシタＣに保存される。
【００３８】
次いで、第１放電時間ｄｃｈａ１中の第２サブ放電時間ｔ２の間、スイッチＳＷ１〜ＳＷ４はターンオン状態を保持し、スイッチＳＷ５はターンオフされ、スイッチＳＷ６はターンオンされる。結果的に、データラインＤ１〜Ｄ４がツェナーダイオードのツェナー電圧まで放電される。
【００３９】
この場合、スイッチング部ＳＷ７は、ターンオンされていてもよく、ターンオフ状態を保持していてもよい。
以下、スイッチング部ＳＷ７の動作を説明する。
【００４０】
比較部３２２は、電池３１４から出力された電池電圧とキャパシタＣに保存された電荷に対応する充填電圧ＶＣとを比較する。例えば、比較部３２２は、演算増幅器を用いて前記電池電圧と充填電圧ＶＣとを比較する。
【００４１】
比較の結果、充填電圧ＶＣが電池電圧以上のとき、スイッチング部ＳＷ７はターンオンされる。結果的に、キャパシタＣに保存された電荷が、第２サブ放電時間ｔ２の間、電池３１４に移動し、これにより、電池３１４に前記移動された量の電荷が充電される。
【００４２】
反面に、充填電圧ＶＣが電池電圧より小さいとき、スイッチング部ＳＷ７はターンオフ状態を保持する。これは、スイッチング部ＳＷ７がターンオンされれば、前記電池電圧が充填電圧ＶＣより大きくなるため、電池３１４に充電された電荷が、キャパシタＣで移動することになり、これにより、本発明の目的と違って、消費電力が大きくなることがあるからである。このような状況は、データラインＤ１〜Ｄ４と関連したピクセルが発光するとき、ピクセルの輝度が低い場合に発生する。従って、ピクセルの輝度が低い場合にも、充填電圧ＶＣが電池電圧以上になるように、表示素子が設定されれば、表示素子は比較部３２２を含まなくてもよい。
【００４３】
以下、本発明の表示素子の駆動過程を説明する。
プリチャージ部３１０は、第１プリチャージ時間ｐｃｈａ１の間、放電されたデータラインＤ１〜Ｄ４にプリチャージ電流を供給し、放電されたデータラインＤ１〜Ｄ４をプリチャージする。
【００４４】
続いて、第１スキャンラインＳ１が発光源、例えば、グランドに接地され、残りのスキャンラインＳ２〜Ｓ４が非発光源に連結され、スイッチＳＷ１〜ＳＷ４はターンオフされる。
【００４５】
その後、データ駆動部３１２は、第１表示データに対応するデータ電流Ｉ１１〜Ｉ４１を第１発光時間Ｔ１の間、前記プリチャージされたデータラインＤ１〜Ｄ４に供給する。このデータ電流Ｉ１１〜Ｉ４１は、データラインＤ１〜Ｄ４、ピクセルＥ１１〜Ｅ４１及び第１スキャンラインＳ１を介して発光源に流れる。その結果、第１スキャンラインＳ１と関連したピクセルＥ１１〜Ｅ４１が、そのアノード電圧ＶＡ１１〜ＶＡ４１とカソード電圧ＶＣ１１〜ＶＣ４１との差に対応する輝度を有して発光する。ここで、データ電流Ｉ１１〜Ｉ４１は、スキャン信号ＳＰ１に同期され、即ち、スキャン信号ＳＰ１中の低論理区間の間、データラインＤ１〜Ｄ４に供給される。
【００４６】
次いで、第２放電時間ｄｃｈａ２中の第１サブ放電時間Ｔ３の間、スイッチＳＷ１〜ＳＷ５がターンオンされ、スキャンラインＳ１〜Ｓ４が、非発光源に連結される。その結果、データラインＤ１〜Ｄ４に充電された電荷が、第１サブ放電時間Ｔ３の間、電荷貯蔵部３２０に含まれたキャパシタＣに保存される。
【００４７】
次いで、第２放電時間ｄｃｈａ２中の第２サブ放電時間Ｔ４の間、スイッチＳＷ１〜ＳＷ４はオン状態を保持し、スイッチＳＷ５はターンオフされ、スイッチＳＷ６はターンオンされる。結果的に、データラインＤ１〜Ｄ４がツェナーダイオードのツェナー電圧まで放電される。この場合、比較部３２２は、電池３１４から出力された電池電圧とキャパシタＣに保存された電荷に対応する充填電圧ＶＣとを比較する。比較の結果、充填電圧ＶＣが前記電池電圧以上のとき、スイッチング部ＳＷ７はターンオンされる。結果的に、キャパシタＣに保存された電荷が、第２サブ放電時間Ｔ４の間、電池３１４に移動し、これにより、電池３１４に前記移動された正の電荷が充電される。
【００４８】
続いて、プリチャージ部３１０は、第２プリチャージ時間ｐｃｈａ２の間、放電されたデータラインＤ１〜Ｄ４にプリチャージ電流を供給し、放電されたデータラインＤ１〜Ｄ４をプリチャージする。
【００４９】
その後、第２スキャンラインＳ２がグランドに接地され、残りのスキャンラインＳ１、Ｓ３、Ｓ４が非発光源に連結され、スイッチＳＷ１〜ＳＷ４はターンオフされる。
【００５０】
次いで、データ駆動部３１２は、図４（ｂ）に示されるように、第１表示データが制御部３０２に入力された後、制御部３０２に入力される第２表示データに対応するデータ電流Ｉ１２〜Ｉ４２を、第２発光時間ｔ２の間、プリチャージされたデータラインＤ１〜Ｄ４に供給する。このデータ電流Ｉ１２〜Ｉ４２は、データラインＤ１〜Ｄ４、ピクセルＥ１２〜Ｅ４２及び第２スキャンラインＳ２を介して、発光源に流れる。その結果、第２スキャンラインＳ２と関連したピクセルＥ１２〜Ｅ４２が、そのアノード電圧ＶＡ１２〜ＶＡ４２とカソード電圧ＶＣ１２〜ＶＣ４２との差に対応する輝度を有して発光する。ここで、データ電流Ｉ１２〜Ｉ４２は、スキャン信号ＳＰ２に同期され、即ち、スキャン信号ＳＰ２中の低論理区間の間、データラインＤ１〜Ｄ４に供給される。
【００５１】
第３スキャンラインＳ３と関連したピクセルＥ１３〜Ｅ４３が発光し、その後、第４スキャンラインＳ４と関連したピクセルＥ１４〜Ｅ４４が発光する。次いで、ピクセルＥ１１〜Ｅ４４がスキャンラインＳ１〜Ｓ４単位で、即ち、フレーム単位で前記方法を通して繰り返し発光する。
即ち、ピクセルＥ１１〜Ｅ４４が一画面に対応するフレーム単位で発光し、これにより、パネル３００に所定イメージが表示される。
【００５２】
図５は、本発明の好ましい一実施形態に係る図３の電圧調整部を示した図面である。
図５を参照すれば、電圧調整部３１６は、昇圧部３３０及び昇圧電圧検出部３３２を含む。
昇圧部３３０は、電池３１４に連結されたインダクタＩＤ及びインダクタＩＤの両端に連結された昇圧集積回路チップ３３４を含む。
【００５３】
昇圧集積回路チップ３３４は、スイッチＳＷを含み、スイッチＳＷをスイッチングして電池３１４から供給された電池電圧を昇圧する。ここで、昇圧集積回路チップ３３４が昇圧素子として一般的に使われるので、スイッチＳＷを除いた別の構成成要素に対する説明は省略する。
昇圧電圧検出部３３２は、直列に連結された抵抗Ｒ１、Ｒ２を含む。
【００５４】
以下、電圧調整部３１６の動作過程を説明する。
スイッチＳＷがターンオフされ、これにより、電池３１４から出力された電池電圧がインダクタＩＤに保存される。
【００５５】
続いて、スイッチＳＷがターンオンされる。この場合、インダクタＩＤに充電された電荷が第２ノードに出力される。
次いで、スイッチＳＷがターンオフされ、これにより、電池電圧がインダクタＩＤに保存される。
【００５６】
即ち、スイッチＳＷがターンオン／オフ動作を繰り返し、これにより、電池電圧が昇圧される。その結果、第２ノードは前記昇圧された電池電圧を有する。ここで、スイッチＳＷのターンオン／オフの割合は、デューティ比を意味する。
【００５７】
続いて、昇圧された電池電圧が、ダイオードＤの閾電圧以上のとき、昇圧された電池電圧は、ダイオードＤを通過する。その結果、第３ノードが昇圧された電池電圧を有する。
次いで、昇圧電圧検出部３３２は、昇圧された電池電圧、即ち、第３ノードが有する電圧を検出する。
【００５８】
以下、電圧調整部３１６が電池３１４から供給された電池電圧（例えば、３．７Ｖ）を１８Ｖまで昇圧するように設定されたとする。この場合、第４ノードの電圧が９Ｖで検出されたとする。
【００５９】
例えば、昇圧部３３０によって昇圧された電池電圧が１６Ｖのとき、昇圧電圧検出部３３２は、第４ノードの電圧が８Ｖであることを検出する。
次いで、昇圧電圧検出部３３２は、検出された第４ノードの電圧に対する情報を、昇圧集積回路チップ３３４のＦＢ端末に供給する。この場合、昇圧集積回路チップ３３４は、供給された情報を通じて、電池電圧が所望の電圧（１８Ｖ）まで昇圧されていないことを把握する。従って、昇圧集積回路チップ３３４は、昇圧された電池電圧が１８ＶになるようにスイッチＳＷのデューティ比を調整する。
【００６０】
電圧調整部３１６は、前記過程を通して電池電圧を所望の電圧まで昇圧し、昇圧された電池電圧、即ち、駆動電圧Ｖｃｃを出力する。
【００６１】
図６は、本発明の好ましい第２の実施形態に係る表示素子を示した図面である。
図６を参照すれば、本発明の表示素子は、パネル６００、制御部６０２、スキャン駆動部６０４、放電部６０６、プリチャージ部６０８、データ駆動部６１０、電池６１２、電圧調整部６１４、及びフィードバック部６１６を含む。
【００６２】
スキャン駆動部６０４を除いた残りの構成要素は、第１の実施形態の表示素子の構成要素と同じ機能を実行するので、以下説明を省略する。
スキャン駆動部６０４は、両方向に形成された第１の実施形態のスキャン駆動部３０４、３０６と違って、図６に示されるように一方向に形成される。
【００６３】
以上で説明した本発明は、例示の目的のために開示されたものであり、本発明に対する通常の知識を有した当業者であれば、本発明の技術的思想と特許請求の範囲内で様々な修正、変更、付加が可能である。従って、このような修正、変更及び付加は、本発明の特許請求の範囲に属するものである。
【図面の簡単な説明】
【００６４】
【図１】従来の表示素子を示した図面である。
【図２（ａ）】図１の表示素子の駆動過程を説明するための回路図である。
【図２（ｂ）】図１の表示素子の駆動過程を説明するための別の回路図である。
【図２（ｃ）】上記表示素子の駆動過程を示したタイミングダイヤグラムである。
【図３】本発明の好ましい第１の実施形態に係る表示素子を示した図である。
【図４（ａ）】図３の表示素子の駆動過程を説明するための回路図である。
【図４（ｂ）】図３の表示素子の駆動過程を説明するための別の回路図である。
【図４（ｃ）】上記表示素子の駆動過程を示したタイミングダイヤグラムである。
【図５】本発明の好ましい一実施形態に係る図３の電圧調整部を示した図である。
【図６】本発明の好ましい第２の実施形態に係る表示素子を図示した図である。
【符号の説明】
【００６５】
３０２  制御部
３０４  第１スキャン駆動部
３０６  第２スキャン駆動部
３０８  放電部
３１０  プリチャージ部
３１２  データ駆動部
３１４  電池
３１６  電圧調整部
３１８  フィードバック部
３２０  電荷貯蔵部
３２２  比較部
Ｄ１〜Ｄ４  データライン
Ｓ１〜Ｓ４  スキャンライン
Ｅ１１〜Ｅ４４  ピクセル
ＳＷ１〜ＳＷ７  スイッチ
【図１】
2008058927.tif 000003
【図２（ａ）】
2008058927.tif 000004
【図２（ｂ）】
2008058927.tif 000005
【図２（ｃ）】
2008058927.tif 000006
【図３】
2008058927.tif 000007
【図４（ａ）】
2008058927.tif 000008
【図４（ｂ）】
2008058927.tif 000009
【図４（ｃ）】
2008058927.tif 000010
【図５】
2008058927.tif 000011
【図６】
2008058927.tif 000012